(57)【特許請求の範囲】
【請求項１】
展開底構造を有し、該展開底構造の底部材に液注出口を配置した液体収納袋において、
前記液注出口の首部が２以上の筒体をスライド可能に重合させた構造を有し、該２以上の筒体の中、最も内側に位置する筒体が前記底部材に対して位置固定され、外側に位置する筒体が内側に位置する筒体に対してスライドして伸縮可能となる構成であり、
前記液注出口の最も内側に位置する筒体の内部には初回使用時に開口可能な脆弱な内部開閉部が形成された構成であること、
を特徴とする液体収納袋。
【発明の詳細な説明】
【０００１】
【発明の属する技術分野】
本発明は、マヨネーズ・ケチャップ・練りチョコレート等の高粘度液体食品ないし製品、ソース・醤油・油等の液体食品ないし製品、液体洗剤・殺菌液・消毒液等の台所用液体製品、シャンプー・リンス等の各種サニタリー用液体製品、その他、糊・接着剤・粘着剤・靴クリーム・床ワックス・塗料・栄養剤等の各種液体（ゲルを含む）製品を収納するのに利用される液体収納袋に関する。
【０００２】
【従来の技術】
上記した各種液体製品を収納するには、古くから瓶・缶・樽が利用されてきたが、近年における商品流通の形態の変遷に伴い、ハードなプラスチック製のボトル或いはやや柔軟な所謂ペットボトルが多用されるに至っており、更に、公害防止やリサイクルのための負荷を軽減する目的で、通常の焼却炉により焼却可能であるフレキシブルなプラスチック製のブロー成形による液体収納袋が採用される傾向となっている。特に、マヨネーズ・ケチャップ等の高粘度液体食品用の場合に、この傾向が強い。
【０００３】
上記した液体収納袋は、例えば特開平７−８９５６７号、同７−１７２４６６号、同７−２２３６５１号、同９−９５３７６号公報等に記載されているように、主として詰め替え容器として開発されたが、底部の構造に特徴を持っている。即ち、図４に示すように、未使用の状態においては底部材１２は二つ折り状態であるが、液体を収納した状態では底部材１２が展開し、底部が広がり、袋でありながら垂直に立てることができる底構造（本明細書では、展開底構造という）となっていることから、立てた状態が販売時の姿勢となり、利用時は底を上にしてホルダー等にセットし、底部材にポンプの吸液管を突き通すようにして利用する。尚、図４において、１１は側面部材、１３は側面シール、１４は底部シール、１５は上部シールである。
【０００４】
また、上記した展開底構造を有する液体収納袋１０’において、液注出口２０Ｃ（又は２０Ａ、２０Ｂ、２０Ｄ、２０Ｅ等）が設けられている態様も種々知られている。この場合、液注出口２０Ｃは底構造とは逆の側、即ち、図４の符号２０Ａ、２０Ｂ、２０Ｃ、２０Ｄ、２０Ｅに示されるような位置（尚、２０Ｅは、液体収納袋１０’の上部角部を一点鎖線部分において切断する態様である。）に配置されている。液注出口の構造としては、実開平５−８２８４０号、同５−８４６４５号、同６−７８２５３号、同６−７８２５４号、同６−８１９５０号公報等に記載がある。
【０００５】
【発明が解決しようとする課題】
図４に示すように、展開底構造を有する液体収納袋１０’において、液注出口２０Ｃが底構造とは逆の側に配置されていると、底を下にして立てた状態に維持させて利用するとき、収納している液の量が減るに従って、液注出口２０Ｃに近い上部に空隙が生じることとなり、液注出に際してボトルを絞り込んで、空気を抜いてからでないと液注出を行うことができず、特に、液量が僅少に至った段階では液注出は更に煩雑となる。また、このような液注出口２０Ｃの配置構造では、底側に残留した液の取り出しが煩雑ないしは困難で、しばしば液を残したまま廃棄してしまったりすることがあり経済的でない。
【０００６】
更に、使用に際して上部の液注出口２０Ｃに絞り込んだ液体をそのまま上部に残存したままの状態では、使用後には液体収納袋１０’を立てることができないので、底部に再度戻さなければならないという不都合がある。即ち、液体が少なくなった場合、液体収納袋１０’内において液体の移動を使用の度に毎回行わなければならない。
【０００７】
本発明は、液注出が容易であり、液を残さず注出することができる展開底構造を有する液体収納袋を明らかにすることを目的とする。
【０００８】
【課題を解決するための手段】
本発明の上記課題は下記構成によって達成される。
【０００９】
１．展開底構造を有し、該展開底構造の底部材に液注出口を配置した液体収納袋において、
前記液注出口の首部が２以上の筒体をスライド可能に重合させた構造を有し、該２以上の筒体の中、最も内側に位置する筒体が前記底部材に対して位置固定され、外側に位置する筒体が内側に位置する筒体に対してスライドして伸縮可能となる構成であり、
前記液注出口の最も内側に位置する筒体の内部には初回使用時に開口可能な脆弱な内部開閉部が形成された構成であること、
を特徴とする液体収納袋。
【００１８】
【発明の実施の形態】
以下、本発明について詳説する。
【００１９】
図１は液体収容袋の実施例を示す斜視図、図２は本発明に係る液体収納袋の実施例の液注出口を示す要部断面図、図３は図２の液注出口を伸長させた状態を示す要部断面図である。
【００２０】
図１において、１０は展開底構造を有する液体収納袋１０であり、２枚の側面部材１１を重ね合わせた一端側に２つ折りの底部材１２を配置して底部とし、その両端部を側面部材１１の端部に挟み込むように重ねて側面シール１３を行うと共に、底部材１２の解放端部を側面部材１１の解放端部に重ねて底部シール１４を行う構成を有している。上端シール１５の一部は液体の収納口とするために解放しておき、液体収納の後にシールを行って密閉する。
【００２１】
内部に液体を収納することにより、底部材１２が展開し、底部が広がり、フィルム体から形成される袋体でありながら垂直に立てることができる展開底構造となっている。この立てた状態が販売時の姿勢となり、さらに従来品では利用時は底を上にしてホルダー等にセットし、底部材にポンプの吸液管を突き通すようにして使用されていたが、本発明では、底部を下にしたこの立てた状態で使用される。本発明によれば、内容物である液体の残量が少なくなっても、常に底部に液体が溜まっているので最後まで立った状態を維持することができる。
【００２２】
使用時に液体の注出を行う液注出口２０は、底部材１２に配置されており、開閉可能な蓋体２１によって不使用時は閉塞されている。液注出口２０が、底部材１２に配置されていることにより、液体を絞り出す必要がなく、極僅かの残量になった場合でも容易に注出することができる。
【００２３】
また、液注出口２０は、先端が液体収納袋１０の底部から突出しない位置、即ち、液体収納袋１０を立てた際に邪魔にならないような位置に配置されている。
【００３０】
図２及び図３に示す本発明の態様は、液注出口２０の首部２２に、２つの筒体をスライド可能に重合させた構造とすることにより、該重合部分を伸縮させることで首部２２の伸縮が可能となる。尚、重合部分の筒体は図示の２つに限らず、３つ以上であってもよい。
【００３１】
上記説明した液注出口２０の口部には、弱め線、引き裂き片、摘み片（図２及び図３の符号２３参照）等が設けられた脆弱な内部開閉部を形成しておき、初回使用時に、穿孔、切断、引き裂き等の手段により開口可能となっている。また、蓋体２１についても、図示の如き螺合構造に限らず、嵌合構造等の公知の構造を特別の制限なく採用できる。
【００４０】
【発明の効果】
本発明によれば、液注出が容易であり液を残さず注出することができる展開底構造を有する液体収納袋を提供することができ、頭記した課題が解決される。
即ち、本発明によれば、底部に液注出口が配置されているので、使用中に内容物である液体が少なくなっても液体収納袋を立たせることができる。
また、常に液体が液体出口である液注出口に溜まるように収納されるので、使用時・不使用時に内容物である液体を液体収納袋内において移動させる必要がない。
また、液体注出口が底部に配置されていると共に、展開底構造の袋体であるため、内容物である液体を容易に全てを使い切ることができる。
さらに、ブロー成形による液体収納袋に比して薄いフィルム（例えば、ポリエチレン、ポリプロピレン等）体であっても立たせることが容易であり、マヨネーズ・ケチャップ等の高粘度液体食品用の場合、合成樹脂の材料を１／２０程度にまで減量でき、社会環境性に適合できる。
さらにまた、ブロー成形による液体収納袋とは異なり、フィルム体での形成が可能なので、液体収納袋本体に各種印刷が直接可能であり、陳列時の広告宣伝媒体としても利用できる。
【図面の簡単な説明】
【図１】液体収容袋の実施例を示す斜視図
【図２】本発明に係る液体収納袋の実施例の液注出口を示す要部断面図
【図３】図２の液注出口を伸長させた状態を示す要部断面図
【図４】従来の液体収納袋を示す斜視図
【符号の説明】
１０  液体収納袋
１１  側面部材
１２  底部材
１３  側面シール
１４  底部シール
１５  上部シール
２０  液注出口
２１  蓋体
２２  首部
２３  摘み片
１０’  液体収納袋（従来例）
２０Ａ、２０Ｂ、２０Ｃ、２０Ｄ、２０Ｅ  液注出口（従来例）
【図１】
0004944314.tif 000002
【図２】
0004944314.tif 000003
【図３】
0004944314.tif 000004
【図４】
0004944314.tif 000005